(57)【特許請求の範囲】
【請求項１】
映像データと音声データとを含む著作権保護されたコンテンツを転送するコンテンツ転送手段であって、前記音声データの品質がしきい値を超える場合、前記音声データの著作権保護に第１の著作権保護方式を適用し、前記音声データの品質が前記しきい値以下の場合、前記音声データの著作権保護に第２の著作権保護方式を適用し、前記音声データの品質が前記しきい値を超えているか否かに関わらず前記映像データの著作権保護に前記第１の著作権保護方式を適用するコンテンツ転送手段を具備する電子機器。
【請求項２】
前記コンテンツ転送手段は、前記コンテンツを送信する前記電子機器における前記音声データの符号化時の品質に関する設定値と、前記コンテンツを受信する他の電子機器における前記音声データの出力時の品質に関する設定値とに基づき、前記コンテンツを前記他の電子機器に転送する際における前記音声データの品質を決定する請求項１に記載の電子機器。
【請求項３】
前記コンテンツ転送手段は、前記コンテンツを受信する他の電子機器が前記第１の著作権保護方式で保護された音声データに対応していない場合、前記しきい値以下の品質の音声データを含む前記コンテンツを前記他の電子機器に転送する請求項１または２に記載の電子機器。
【請求項４】
前記コンテンツ転送手段は、前記音声データの符号化時における量子化ビット数およびサンプリング周波数の一方または両方が所定の値を超えている場合に、前記音声データの品質が前記しきい値を超えていると判定する請求項１、２または３に記載の電子機器。
【請求項５】
前記第１の著作権保護方式は、著作権保護対象データの暗号化を伴う方式であり、
前記第２の著作権保護方式は、著作権保護対象データの暗号化を伴わない方式である
請求項１、２、３または４に記載の電子機器。
【請求項６】
前記第１の著作権保護方式は、ＨＤＣＰ（High-bandwidth digital content protection system）２．０または前記ＨＤＣＰ２．０の後継規格であり、
前記第２の著作権保護方式は、ＳＣＭＳ（Serial copy management system）である
請求項５に記載の電子機器。
【請求項７】
電子機器のコンテンツ転送方法であって、
映像データと音声データとを含む著作権保護されたコンテンツを転送する際、前記音声データの品質がしきい値を超える場合、前記音声データの著作権保護に第１の著作権保護方式を適用し、前記音声データの品質が前記しきい値以下の場合、前記音声データの著作権保護に第２の著作権保護方式を適用し、前記音声データの品質が前記しきい値を超えているか否かに関わらず前記映像データの著作権保護に前記第１の著作権保護方式を適用するコンテンツ転送方法。
【請求項８】
前記コンテンツを送信する前記電子機器における前記音声データの符号化時の品質に関する設定値と、前記コンテンツを受信する他の電子機器における前記音声データの出力時の品質に関する設定値とに基づき、前記コンテンツを前記他の電子機器に転送する際における前記音声データの品質を決定する請求項７に記載のコンテンツ転送方法。
【請求項９】
前記コンテンツを受信する他の電子機器が前記第１の著作権保護方式で保護された音声データに対応していない場合、前記しきい値以下の品質の音声データを含む前記コンテンツを前記他の電子機器に転送する請求項７または８に記載のコンテンツ転送方法。
【請求項１０】
前記音声データの符号化時における量子化ビット数およびサンプリング周波数の一方または両方が所定の値を超えている場合に、前記音声データの品質が前記しきい値を超えていると判定する請求項７、８または９に記載のコンテンツ転送方法。
【発明の詳細な説明】
【技術分野】
【０００１】
本発明の実施形態は、著作権の保護が求められるコンテンツの転送技術に関する。
【背景技術】
【０００２】
近年、パーソナルコンピュータやスマートフォン等、デジタル化された映像や音声を取扱い可能な電子機器が広く普及している。この種の電子機器は、一般的に、データ通信機能を搭載しており、いわゆるＡＶ（Audio and Visual）コンテンツを他の電子機器との間で送受信することが可能である。
【０００３】
一方、ＡＶコンテンツの中には、複製が制限される等、著作権の保護が求められるものも少なくない。そのために、著作権保護を図りつつ、ＡＶコンテンツを複数の電子機器の間で送受信するための仕組みがこれまでも種々提案されている。
【先行技術文献】
【特許文献】
【０００４】
【特許文献１】特開２００６−１０８９６１号公報
【発明の概要】
【発明が解決しようとする課題】
【０００５】
映像または音声の著作権を保護するための方式として、例えば、ＨＤＣＰ（High-bandwidth digital content protection system）が知られている。また、音声の著作権を保護するための方式として、例えば、ＳＣＭＳ（Serial copy management system）が知られている。ＨＤＣＰは、著作権保護対象データの暗号化を伴う方式であり、ＳＣＭＳは、著作権保護対象データの暗号化を伴わない方式である。従って、ＨＤＣＰの方がＳＣＭＳよりも著作権保護の強度は高いと言え、一方、ＳＣＭＳの方がＨＤＣＰよりも著作権保護処理の負荷は低いと言える。
【０００６】
ここで、例えば、電子機器Ａ（コンテンツ送信器）が電子機器Ｂ（コンテンツ受信器）にＡＶコンテンツを転送し、電子機器Ｂが、ＡＶコンテンツ中の音声データを電子機器Ｃ（音声再生器）にさらに転送する場合を考える。また、電子機器ＣがＨＤＣＰをサポートしていないために、電子機器Ｂから電子機器Ｃへの音声データの転送時における当該音声データの著作権保護にＳＣＭＳが適用されるものと想定する。この場合、電子機器Ａおよび電子機器Ｂの双方がＨＤＣＰをサポートしている場合であっても、その後に保護強度の低いＳＣＭＳが適用されて転送されることを勘案すれば、（電子機器ＡがＳＣＭＳをサポートしているのであれば、）負荷低減を優先して、電子機器Ａから電子機器Ｂへの音声データの転送時における当該音声データの著作権保護にも、電子機器Ｂ−電子機器Ｃ間と同様にＳＣＭＳを適用することも一考である。なお、同一のＡＶコンテンツ中の映像データと音声データとを互いに異なる著作権保護方式を適用して転送することは可能であり、映像データの著作権保護には、保護強度を優先して、常時、ＨＤＣＰを適用することが好ましい。
【０００７】
本発明は、著作権の保護が求められるコンテンツを適切な著作権保護方式を適用して転送する電子機器およびコンテンツ転送方法を提供することを目的とする。
【課題を解決するための手段】
【０００８】
実施形態によれば、電子機器は、映像データと音声データとを含む著作権保護されたコンテンツを転送するコンテンツ転送手段であって、前記音声データの品質がしきい値を超える場合、前記音声データの著作権保護に第１の著作権保護方式を適用し、前記音声データの品質が前記しきい値以下の場合、前記音声データの著作権保護に第２の著作権保護方式を適用し、前記音声データの品質が前記しきい値を超えているか否かに関わらず前記映像データの著作権保護に前記第１の著作権保護方式を適用するコンテンツ転送手段を具備する。
【図面の簡単な説明】
【０００９】
【図１】実施形態のコンテンツ転送システムのシステム構成を示す図。
【図２】実施形態のコンテンツ転送システムのコンテンツ送信器の構成を概略的に示す図。
【図３】実施形態のコンテンツ転送システムのコンテンツ受信器の構成を概略的に示す図。
【図４】実施形態のコンテンツ転送システムのコンテンツ送信器側の動作手順を示すフローチャート。
【図５】実施形態のコンテンツ転送システムのコンテンツ送信器が実行する音声品質および著作権保護方式の調停処理の手順を示すフローチャート。
【図６】実施形態のコンテンツ転送システムのコンテンツ受信器側の動作手順を示すフローチャート。
【発明を実施するための形態】
【００１０】
以下、実施の形態について図面を参照して説明する。
【００１１】
図１は、本実施形態に係るコンテンツ転送システムのシステム構成を示す図である。
【００１２】
図１に示すように、本実施形態のコンテンツ転送システムは、コンテンツ送信器１、コンテンツ受信器２および音声再生器３から構成される。コンテンツ送信器１とコンテンツ受信器２との間は、例えばIEEE802.11規格の無線ＬＡＮ（Ｗｉ−Ｆｉ）によって接続され、また、コンテンツ受信器２と音声再生器３との間は、例えばＳ／ＰＤＩＦによって接続されるものとする。
【００１３】
コンテンツ送信器１は、例えばポータブルタイプのＰＣ（Personal computer）であり、例えばBlu-ray（登録商標）Discドライブを備えている。コンテンツ送信器１は、Blu-ray（登録商標）DiscドライブにセットされたBlu-ray（登録商標）Discからコンテンツを読み出して再生し、ディスプレイやスピーカ等に出力する。また、コンテンツ送信器１は、再生したコンテンツ（ディスプレイ等に出力する映像およびスピーカ等に出力する音声)をエンコードして、無線ＬＡＮ（Ｗｉ−Ｆｉ）経由でコンテンツ受信器２へ転送するコンテンツ転送機能を有する。このエンコード時の音声品質は、ユーザが任意に設定可能である。
【００１４】
コンテンツ受信器２は、例えばテレビジョン受像機であり、コンテンツ送信器１から受信した（エンコードされた）コンテンツをデコードし、映像を画面に表示する。コンテンツ受信器２は、内蔵スピーカから音声を出力することも可能であるが、ここでは、Ｓ／ＰＤＩＦ経由で音声再生器３に転送して当該音声再生器３によって出力するものとする。この出力時の音声品質も、ユーザが任意に設定可能である。
【００１５】
コンテンツ送信器１とコンテンツ受信器２との間で転送されるコンテンツのデータフォーマットは、例えばＭＰＥＧ２−ＴＳ形式であり、転送プロトコルは、例えばＲＴＰ（Real-time transport protocol）である。また、映像ＥＳを保護するための著作権保護方式は、例えばＨＤＣＰ２．０またはその後継規格が適用される。一方、音声ＥＳを保護するための著作権保護方式は、例えばＨＤＣＰ２．０またはその後継規格と、ＳＣＭＳとの２種類が適用可能である。本実施形態のコンテンツ転送システムは、音声ＥＳを保護するための著作権保護方式として、この２種類のうち、適切な方を適宜に選定できるようにしたものであり、以下、この点について詳述する。
【００１６】
なお、ＳＣＭＳ自体には、無線ＬＡＮ上でコピー制御情報を通知する方法は規定されていないが、例えば、本願出願人出願の特願２０１１−１８９３７４に記載した、（ａ）ＨＤＣＰ２．０で規定されているregistration_descriptorをＰＭＴ（Program map table)に挿入することで通知する、（ｂ）ＲＴＳＰ（Real time streaming protocol）等による通信で通知する、などの方法によって通知することができる。
【００１７】
まず、図２および図３を参照して、コンテンツ送信器１およびコンテンツ受信器２の構成について説明する。
【００１８】
図２は、コンテンツ送信器１の構成を概略的に示す図である。図２に示すように、コンテンツ送信器１は、プロセッサ１１、主メモリ１２、外部記憶装置１３、表示装置１４、入力装置１５、通信装置１６等を有している。
【００１９】
プロセッサ１１は、コンテンツ送信器１の動作制御を司るモジュールであり、各種プログラムを外部記憶装置１３から主メモリ１２にロードして実行することで、コンテンツ送信器１を様々な手段として機能させる。各種プログラムの中には、コンテンツの転送制御を司るコンテンツ転送制御プログラム１００が含まれる。外部記憶装置１３として、前述したBlu-ray（登録商標）Discドライブのほか、例えばＨＤＤ（Hard disk drive）またはＳＳＤ（Solid state drive）等が存在する。
【００２０】
表示装置１４は、コンテンツ送信器１が提供するユーザインタフェースのアウトプット側を担うモジュールである。一方、入力装置１５は、コンテンツ送信器１が提供するユーザインタフェースのインプット側を担うモジュールである。即ち、入力装置１５によってユーザの指示を受け付け、この指示に応じて、各種プログラムが処理を実行し、その処理結果を表示装置１４に提示する。
【００２１】
通信装置１６は、前述した無線ＬＡＮ経由の無線データ通信を実行するモジュールである。そのほか、通信装置１６として、例えばＬＡＮ経由の有線データ通信を実行するモジュール等が存在する。
【００２２】
一方、図３は、コンテンツ受信器２の構成を概略的に示す図である。コンテンツ送信器１との相違点のみを大まかに説明すると、図３に示すように、コンテンツ受信器２は、テレビジョン放送番組データを受信するためのＴＶチューナ２６を有している。また、コンテンツ受信器２は、前述したＳ／ＰＤＩＦ経由で音声を出力する外部音声出力装置２８を有している。
【００２３】
コンテンツ受信器２においても、外部記憶装置２３から主メモリ２２にロードされてプロセッサによって実行される各種プログラムの１つとして、コンテンツ転送制御プログラム１００が存在している。即ち、コンテンツ転送制御プログラム１００は、インストール先の電子機器をコンテンツの送信側として動作させるためのルーチンと、インストール先の電子機器をコンテンツの受信側として動作させるためのルーチンとの２つのルーチンを併せ持っている。例えばコンテンツ受信器２は、このコンテンツ転送制御プログラム１００により、コンテンツ送信器１との間ではコンテンツの受信側として動作し、同時に、音声再生器３との間ではコンテンツの送信側として動作し得る。
【００２４】
次に、図４および図５を参照して、本実施形態のコンテンツ転送システムにおける、コンテンツ送信器１が音声を送信してからコンテンツ受信器２が当該音声を再生するまでの手順のうち、コンテンツ送信器１側の動作について説明する。なお、映像は、音声とは別に、ＨＤＣＰ２．０またはその後継規格が適用され、著作権の保護が適切に図られた上で、コンテンツ送信器１とコンテンツ受信器２との間で転送される。
【００２５】
コンテンツ送信器１の電源がオンされた後、ユーザ操作によりコンテンツ転送制御プログラム１００が起動されると、（当該コンテンツ転送制御プログラム１００に記述された手続きに沿ってプロセッサ１１によって動作制御される）コンテンツ送信器１は、Ｗｉ−Ｆｉ経由でのコンテンツ受信器２との接続を待機する（ブロックＡ１）。コンテンツ受信器２との接続が確立されると（ブロックＡ２のＹＥＳ）、コンテンツ送信器１は、コンテンツ受信器２に対して、自身（コンテンツ送信器１）の各種著作権保護方式への対応可否を表す８ｂｉｔデータを送信する（ブロックＡ３）。ここで、８ｂｉｔデータのフォーマットは、最上位ビットが映像のＨＤＣＰ２．０対応可否、５番目のビットが音声のＨＤＣＰ２．０対応可否、６番目のビットが音声のＳＣＭＳ対応可否を表すものとし、残りのビットはReserved(0)であるものとする。あるビットに関連づけられた著作権保護方式に対応しているとき、そのビットの値を１とする（非対応の場合は０）。なお、この８ｂｉｔデータの構成は単なる一例であり、著作権保護方式への対応可否を表すことができるものであれば、どのような構成のデータも適用可能である。本実施形態においては、コンテンツ送信器１は、映像の著作権保護についてＨＤＣＰ２．０に対応し、音声の著作権保護についてＨＤＣＰ２．０とＳＣＭＳとの両方に対応しているとする。よって、コンテンツ送信器１は、８ｂｉｔデータとして、”10001100”をコンテンツ受信器２へ送信する。
【００２６】
次に、コンテンツ送信器１は、コンテンツ受信器２から、コンテンツ受信器２の著作権保護方式への対応可否を表す８ｂｉｔデータを受信する（ブロックＡ４）。本実施形態においては、コンテンツ受信器２も、映像の著作権保護についてＨＤＣＰ２．０に対応し、音声の著作権保護についてＨＤＣＰ２．０とＳＣＭＳとの両方に対応しているとする。よって、コンテンツ送信器１は、８ｂｉｔデータとして、”10001100”をコンテンツ受信器２から受信する。言い換えるとコンテンツ受信機２は、映像と音声の夫々について、ＨＤＣＰ２．０により著作権保護（暗号化）されたデータの処理（デコード等）が可能であるか否かと、ＳＣＭＳにより著作権保護されたデータの処理が可能であるか否かとについてのデータをコンテンツ送信機１に送信する。
【００２７】
コンテンツ送信器１は、コンテンツ受信器２へ送信した８ｂｉｔデータとコンテンツ受信器２から受信した８ｂｉｔデータのＡＮＤ演算を行い、コンテンツ送信器１とコンテンツ受信器２との組合せで適用可能な著作権保護方式を判定する（ブロックＡ５）。本実施形態においては、ＡＮＤ演算の結果、”10001100”となり、映像はＨＤＣＰ２．０、音声はＨＤＣＰ２．０とＳＣＭＳとの両方式に適用可能であることが判る。
【００２８】
例えば、コンテンツ送信器１から送信した８ｂｉｔデータが”10000100”、コンテンツ受信器２から受信した８ｂｉｔデータが”10001100”であれば、ＡＮＤ演算結果は”10000100”となり、映像はＨＤＣＰ２．０、音声はＳＣＭＳのみ適用可能となる。
【００２９】
著作権保護方式として、映像または音声のいずれかまたは両方でＨＤＣＰ２．０を適用可能な場合（ブロックＡ５のＹＥＳ）、コンテンツ送信器１は、コンテンツ受信器２との間で、ＨＤＣＰ２．０に従った認証および鍵交換の処理を実行する（ブロックＡ６）。これにより、著作権保護つきコンテンツ（著作権の保護が求められるコンテンツ）を転送する際の映像ＥＳおよび音声ＥＳの暗号鍵およびイニシャルベクター（ＩＶ）の一部が決定される。
【００３０】
次に、コンテンツ送信器１は、コンテンツ受信器２に対して、自身（コンテンツ送信器１）のエンコード時における音声品質設定情報を送信し（ブロックＡ７）、一方、コンテンツ受信器２からは、コンテンツ受信器２の音声出力品質設定情報を受信する（ブロックＡ８）。コンテンツ送信器は、自身（コンテンツ送信器１）のエンコード時における音声品質設定情報とコンテンツ受信器２から受信した音声出力品質設定情報とに基づき、実際にコンテンツをエンコードする際の音声品質を決定する（ブロックＡ９）。音声品質の決定方法は、コンテンツ送信器１側のエンコード時における音声品質設定を優先してもよいし、コンテンツ受信器２側の音声出力時における音声品質設定を優先してもよい。また、両者を比較して、高品質な方にしてもよいし、低品質な方にしてもよい。
【００３１】
前述した、電子機器Ａ（コンテンツ送信器）→電子機器Ｂ（コンテンツ受信器）→電子機器Ｃ（音声再生器）と音声データが転送される場合において、電子機器Ｂ−電子機器Ｃ間でＳＣＭＳが適用されるならば、負荷低減を優先して、電子機器Ａ−電子機器Ｂ間でも（ＨＤＣＰ２．０も適用可能であるが）ＳＣＭＳを適用するケースは、「コンテンツ受信器２側の音声出力時における音声品質設定を優先」するケースに該当する。
【００３２】
また、後述するブロックＡ１０以降は、コンテンツ送信器１がコンテンツをエンコードしてコンテンツ受信器２へ送信するまでの手順を示している。
【００３３】
コンテンツ送信器１は、コンテンツ受信器２との接続が切断されるまで（ブロックＡ１７のＹＥＳ）、自身（コンテンツ送信器１）の画面に出力する映像とスピーカ等に出力する音声とをそれぞれエンコードし（ブロックＡ１２）、ＭＰＥＧ２−ＴＳ形式に多重化した後、ＲＴＰにより送信する（ブロックＡ１５）のが基本的な流れであるが、コンテンツ再生アプリケーションの起動やディスクの入れ替え等により、画面に出力するコンテンツが切り替わった場合（ブロックＡ１６のＹＥＳ）、著作権保護有無を判定し（ブロックＡ１０）、著作権保護が必要であれば（ブロックＡ１０のＹＥＳ）、著作権保護処理を行って送信する。
【００３４】
コンテンツ送信器１は、例えば、ＡＡＣＳ（Advanced access control system）により著作権保護されたBlu-ray（登録商標）Discのコンテンツを画面に出力した場合、著作権保護が必要と判定する。著作権保護が必要と判定したとき、映像の著作権保護方式はＨＤＣＰ２．０となる。一方、音声の著作権保護方式はＨＤＣＰ２．０またはＳＣＭＳのいずれかであり、図５に示す以下の手順により、音声品質および音声の著作権保護方式を決定する（ブロックＡ１１）。
【００３５】
音声品質情報の送受信によって決定した音声品質が、量子化１６ｂｉｔ、サンプリング周波数４８ｋＨｚのいずれかを超えている場合（ブロックＢ１のＹＥＳ）、コンテンツ送信器１は、ＨＤＣＰ２．０以外の方法では送信することができない。ここで、量子化１６ｂｉｔ、サンプリング周波数４８ｋＨｚは、ＡＡＣＳ Adopter Agreement（http://www.aacsla.com/license/）におけるデジタル音声出力規定に従った境界値である。コンテンツ送信器１は、前述の著作権保護方式適用可否判定（図４のブロックＡ３〜Ａ５）において、ＨＤＣＰ２．０が適用可能であれば（ブロックＢ２のＹＥＳ）、音声の著作権保護方式をＨＤＣＰ２．０に決定する（ブロックＢ３）。一方、ＨＤＣＰ２．０が適用不可であった場合（ブロックＢ２のＮＯ）、コンテンツ送信器１は、音声品質を、量子化１６ｂｉｔ、サンプリング周波数４８ｋＨｚに変更し（ブロックＢ４）、音声の著作権保護方式をＳＣＭＳに決定する（ブロックＢ５）。なお、コンテンツ送信器１は、予め用意された高品質の音声と低品質の音声との２種類の音声のうちの一方を選択してコンテンツ受信器２に送信するように動作することも可能である。即ちコンテンツ送信器１は、ブロックＢ２においてＨＤＣＰ２．０が適用可能であれば高品質の音声を選択し、ＨＤＣＰ２．０が適用不可であれば低品質の音声を選択しても良い。
【００３６】
また、音声品質情報の送受信によって決定した音声品質が、量子化１６ｂｉｔ以下、かつ、サンプリング周波数４８ｋＨｚ以下の場合（ブロックＢ１のＮＯ）、コンテンツ送信器１は、音声の著作権保護方式をＳＣＭＳに決定する（ブロックＢ５）。
【００３７】
コンテンツ送信器１は、以上の手順で決定した音声の著作権保護方式を、コンテンツ受信器２へ通知する（ブロックＢ６）。
【００３８】
なお、（Blu-ray（登録商標）Discで採用される）ＡＡＣＳでは、量子化１６ｂｉｔ以下、かつ、サンプリング周波数４８ｋＨｚ以下の音声品質の音声については著作権保護を要求されないが、ＤＶＤ（Digital versatile disc）で採用されるＣＳＳ（Content scrambling system）では、音声の著作権保護方式がＨＤＣＰ２．０の場合、任意の音声品質でよく、音声の著作権保護方式がＳＣＭＳの場合、（音声品質の境界値以下の）低品質とすべきことが規定されていることを考慮し、ここでは、量子化１６ｂｉｔ以下、かつ、サンプリング周波数４８ｋＨｚ以下の場合、音声の著作権保護方式としてＳＣＭＳを採用するものとする。
【００３９】
また、ここでは、ＡＡＣＳ Adopter Agreementにおけるデジタル音声出力規定に従って、音声品質の境界値を量子化１６ｂｉｔ、サンプリング周波数４８ｋＨｚとしたが、音声品質の境界値は、コンテンツ送信器１が自身（コンテンツ送信器１）の画面に出力するコンテンツの著作権保護規定によって異なる。
【００４０】
再び図４を参照する。上記手順により決定した音声の著作権保護方式がＨＤＣＰ２．０であれば（ブロックＡ１３のＹＥＳ）、コンテンツ送信器１は、エンコードしたコンテンツをＨＤＣＰ２．０規定に従って暗号化し（ブロックＡ１４）、ＭＰＥＧ２−ＴＳ形式に多重化してＲＴＰにてコンテンツ受信器２へ送信する（ブロックＡ１５）。
【００４１】
一方、上記手順により決定した音声の著作権保護方式がＳＣＭＳであれば（ブロックＡ１３のＮＯ）、コンテンツ送信器１は、コンテンツの暗号化は行わず、所定の方法でコピー制御情報をコンテンツ受信器２へ通知し、エンコードしたコンテンツをＭＰＥＧ２−ＴＳ形式に多重化してＲＴＰにてコンテンツ受信器２へ送信する（ブロックＡ１５）。
【００４２】
また、著作権保護不要な場合（ブロックＡ１０のＮＯ）、コンテンツ送信器１は、エンコードしたコンテンツをそのままＭＰＥＧ２−ＴＳ形式に多重化してＲＴＰにてコンテンツ受信器２へ送信する。なお、著作権保護不要な場合は、コピーフリーなため、コピー制御情報をコピーフリーとしてコンテンツ受信器２へ通知してもよい。
【００４３】
このように、コンテンツ送信器１は、（１）自身（コンテンツ送信器１）の著作権保護方式への対応可否とコンテンツ受信器２の著作権保護方式への対応可否とから適用可能な著作権保護方式を判定し、（２）自身（コンテンツ送信器１）のエンコード時における音声品質設定情報とコンテンツ受信器２の音声出力品質設定情報とから音声品質を決定し、（３）適用可能な著作権保護方式と音声品質とから実際の音声品質および著作権保護方式を決定する。即ち、著作権の保護が求められるコンテンツを適切な著作権保護方式を適用して転送することを実現する。
【００４４】
次に、図６を参照して、本実施形態のコンテンツ転送システムにおける、コンテンツ受信器２がコンテンツ送信器１から転送された音声を再生するまでの手順について述べる。なお、映像に関しては、ＨＤＣＰ２．０規定に従って著作権保護有無を判定し、著作権保護されている場合はＨＤＣＰ２．０規定に従って復号（暗号解読）後、デコードして、自身（コンテンツ受信器２）の画面に出力する。
【００４５】
コンテンツ受信器２は、コンテンツ送信器１が決定した著作権保護方式をコンテンツ送信器１から受信すると（ブロックＣ１のＹＥＳ）、受信した著作権保護方式に従い（ブロックＣ２）、コピー制御設定を行う（ブロックＣ３）。コンテンツ送信器１から著作権保護方式を受信していないときは（ブロックＣ１のＮＯ）、コンテンツ受信器２は、そのコンテンツをコピーフリーとみなす。
【００４６】
コンテンツ受信器２は、コンテンツ送信器１からＲＴＰによりコンテンツを受信し（ブロックＣ４）、通知された著作権保護方式がＨＤＣＰ２．０であれば（ブロックＣ５のＹＥＳ）、ＨＤＣＰ２．０規定に従って復号（暗号解読）し（ブロックＣ６）、デコードして（ブロックＣ７）音声出力する。一方、通知された著作権保護方式がＨＤＣＰ２．０でなければ（ブロックＣ５のＮＯ）、コンテンツ受信器２は、そのままデコードし（ブロックＣ７）、音声出力する。
【００４７】
以上のように、本実施形態のコンテンツ転送システムは、著作権の保護が求められるコンテンツを適切な著作権保護方式を適用して転送することを実現する。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行うことができる。これら実施形態やその変形は、発明の範囲や要旨に含まれると共に、特許請求の範囲に記載された発明とその均等の範囲に含まれる。  
以下に、本願原出願の当初の特許請求の範囲に記載された発明を付記する。  
［１］著作権保護されたコンテンツを転送するコンテンツ転送手段であって、しきい値を超える品質でコンテンツを転送する場合、前記コンテンツの著作権保護に第１の著作権保護方式を適用し、前記しきい値以下の品質で転送する場合、第２の著作権保護方式を適用するコンテンツ転送手段を具備する電子機器。  
［２］前記コンテンツ転送手段は、前記コンテンツを送信する前記電子機器における前記コンテンツの符号化時の品質に関する設定値と、前記コンテンツを受信する他の電子機器における前記コンテンツの出力時の品質に関する設定値とに基づき、前記他の電子機器に転送する際における前記コンテンツの品質を決定し、前記決定した品質が前記しきい値を超える場合、前記コンテンツの著作権保護に前記第１の著作権保護方式を適用し、前記しきい値以下の場合、前記第２の著作権保護方式を適用する［１］に記載の電子機器。  
［３］前記コンテンツ転送手段は、前記コンテンツを受信する他の電子機器が前記第１の著作権保護方式で保護された音声データに対応していない場合、前記しきい値以下の品質の音声データを含む前記コンテンツを前記他の電子機器に転送する［１］または［２］に記載の電子機器。  
［４］前記コンテンツは、音声データを含み、
前記コンテンツ転送手段は、前記音声データの符号化時における量子化ビット数およびサンプリング周波数の一方または両方が所定の値を超えている場合に、前記コンテンツの品質が前記しきい値を超えていると判定する、
［１］、［２］または［３］に記載の電子機器。  
［５］前記コンテンツは、映像データを含み、
前記コンテンツ転送手段は、前記音声の品質が前記しきい値を超える場合、前記音声の著作権保護に前記第１の著作権保護方式を適用し、前記音声の品質が前記しきい値を超えない場合、前記音声の著作権保護に前記第２の著作権保護方式を適用し、前記コンテンツが著作権保護されている場合は、前記音声の品質がしきい値を超えているか否かに関わらず前記映像に前記第１の著作権保護方式を適用する、
［４］に記載の電子機器。  
［６］前記第１の著作権保護方式は、著作権保護対象データの暗号化を伴う方式であり、
前記第２の著作権保護方式は、著作権保護対象データの暗号化を伴わない方式である
［１］、［２］、［３］、［４］または［５］に記載の電子機器。  
［７］前記第１の著作権保護方式は、ＨＤＣＰ（High-bandwidth digital content protection system）２．０または前記ＨＤＣＰ２．０の後継規格であり、
前記第２の著作権保護方式は、ＳＣＭＳ（Serial copy management system）である
［６］に記載の電子機器。  
［８］著作権保護されたコンテンツを送信するコンテンツ送信手段であって、前記コンテンツを受信する他の電子機器が第１の著作権保護方式で保護された音声データに対応している場合、前記音声データの著作権保護に第１の著作権保護方式を適用し、前記第１の著作権保護方式で保護された音声データに対応していない場合、前記音声データの著作権保護に第２の著作権保護方式を適用し、かつ、前記音声データの品質をしきい値以下に設定して、前記他の電子機器に対する前記コンテンツの送信を実行するコンテンツ送信手段を具備する電子機器。  
［９］電子機器のコンテンツ転送方法であって、
しきい値を超える品質でコンテンツを転送する場合、前記コンテンツの著作権保護に第１の著作権保護方式を適用し、前記しきい値以下の品質で転送する場合、第２の著作権保護方式を適用するコンテンツ転送方法。  
［１０］前記コンテンツを送信する前記電子機器における前記コンテンツの符号化時の品質に関する設定値と、前記コンテンツを受信する他の電子機器における前記コンテンツの出力時の品質に関する設定値とに基づき、前記他の電子機器に転送する際における前記コンテンツの品質を決定し、前記決定した品質が前記しきい値を超える場合、前記コンテンツの著作権保護に前記第１の著作権保護方式を適用し、前記しきい値以下の場合、前記第２の著作権保護方式を適用する［９］に記載のコンテンツ転送方法。  
［１１］前記コンテンツを受信する他の電子機器が前記第１の著作権保護方式に対応していない場合、前記しきい値以下の品質で前記コンテンツを前記他の電子機器に転送する［９］または［１０］に記載の電子機器のコンテンツ転送方法。  
［１２］前記コンテンツは、音声データを含み、
前記コンテンツ転送手段は、前記音声データの符号化時における量子化ビット数およびサンプリング周波数の一方または両方が所定の値を超えている場合に、前記コンテンツの品質が前記しきい値を超えていると判定する、
［９］、［１０］または［１１］に記載のコンテンツ転送方法。
【符号の説明】
【００４９】
１…コンテンツ送信器、２…コンテンツ受信器、３…音声再生器、１１，２１…プロセッサ、１２，２２…主メモリ、１３，２３…外部記憶装置、１４，２４…表示装置、１５，２５…入力装置、１６，２７…通信装置、２６…ＴＶチューナ、２８…外部音声出力装置、１００…コンテンツ転送制御プログラム。
【要約】
【課題】著作権の保護が求められるコンテンツを適切な著作権保護方式を適用して転送する電子機器およびコンテンツ転送方法を提供する。
【解決手段】実施形態によれば、電子機器は、映像データと音声データとを含む著作権保護されたコンテンツを転送するコンテンツ転送手段であって、前記音声データの品質がしきい値を超える場合、前記音声データの著作権保護に第１の著作権保護方式を適用し、前記音声データの品質が前記しきい値以下の場合、前記音声データの著作権保護に第２の著作権保護方式を適用し、前記音声データの品質が前記しきい値を超えているか否かに関わらず前記映像データの著作権保護に前記第１の著作権保護方式を適用するコンテンツ転送手段を具備する。
【選択図】図１【図１】
0005178958.tif 000002
【図２】
0005178958.tif 000003
【図３】
0005178958.tif 000004
【図４】
0005178958.tif 000005
【図５】
0005178958.tif 000006
【図６】
0005178958.tif 000007